【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
被写体を撮像して画像データを生成する撮像部と、
前記画像データに基づいて、当該画像データよりもデータ量が小さく、当該画像データに対応する画像に含まれる被写体像の特徴を示す特徴情報を生成する特徴情報生成部と、
外部の通信機器との間で情報の送受信を可能に接続する撮像側第１通信部と、
前記撮像側第１通信部の通信方式とは異なる通信方式で、前記通信機器との間で情報の送受信を可能に接続する撮像側第２通信部と、
前記通信機器と前記撮像側第１通信部との間での通信状態が良好であるか否かを判定する通信状態判定部と、
前記通信状態判定部にて前記通信機器と前記撮像側第１通信部との間での通信状態が良好ではないと判定された場合に、前記撮像側第２通信部を介して、前記通信機器に前記特徴情報を送信する撮像側通信制御部とを備える
ことを特徴とする撮像装置。
【請求項２】
前記特徴情報生成部は、
前記画像データに対応する画像に含まれる被写体像の形状、大きさ、色、及び位置のうち少なくともいずれかを特定し、当該特定した被写体像の形状、大きさ、色、及び位置のうち少なくともいずれかを前記特徴情報として生成する
ことを特徴とする請求項１に記載の撮像装置。
【請求項３】
複数種類の被写体像の種別毎に当該被写体像の特徴を示す情報が関連付けられた第１被写体像情報を記録する第１情報記録部を備え、
前記特徴情報生成部は、
前記画像データ及び前記第１被写体像情報に基づいて、前記画像データに対応する画像に含まれる被写体像の種別を推定し、当該推定した被写体像の種別を含む前記特徴情報を生成する
ことを特徴とする請求項１に記載の撮像装置。
【請求項４】
前記撮像側通信制御部は、
前記通信状態判定部にて前記通信機器と前記撮像側第１通信部との間での通信状態が良好であると判定された場合に、前記撮像側第１通信部を介して、前記通信機器に前記画像データを送信する
ことを特徴とする請求項１に記載の撮像装置。
【請求項５】
前記特徴情報生成部は、
前記画像データに対応する画像に含まれる被写体像の特徴を検出することができない場合には、前記画像データに対応する画像に被写体像の特徴が含まれていないことを示す情報を前記特徴情報として生成する
ことを特徴とする請求項１に記載の撮像装置。
【請求項６】
前記通信機器は、
前記撮像側第１通信部との間で情報の送受信を可能に接続する機器側第１通信部と、
前記機器側第１通信部の通信方式とは異なる通信方式で、前記撮像側第２通信部との間で情報の送受信を可能に接続する機器側第２通信部とを備え、
前記撮像側第１通信部と前記機器側第１通信部との間の通信路容量は、
前記画像データの送受信を可能とする通信路容量を有し、
前記撮像側第２通信部と前記機器側第２通信部との間の通信路容量は、
前記撮像側第１通信部と前記機器側第１通信部との間の通信路容量よりも小さい通信路容量を有する
ことを特徴とする請求項１に記載の撮像装置。
【請求項７】
撮像装置との間で通信を行う通信機器において、
前記撮像装置との間で情報の送受信を可能に接続する機器側通信部と、
前記機器側通信部を介して、前記撮像装置にて生成された画像データよりもデータ量が小さく、当該画像データに対応する画像に含まれる被写体像の特徴を示す特徴情報を前記撮像装置から受信する機器側通信制御部と、
前記機器側通信部を介して受信した前記特徴情報に基づいて、被写体像の特徴を示す情報を報知する報知部とを備える
ことを特徴とする通信機器。
【請求項８】
前記特徴情報は、
被写体像の顔の数、大きさ、及び位置の全てを示す情報であり、
前記報知部は、
前記特徴情報に基づく数で、かつ、前記特徴情報に基づく大きさを有する被写体像の顔を模した図形を前記特徴情報に基づく位置に配置した特徴画像を生成する特徴画像生成部と、
画像を表示する表示部と、
前記特徴画像を前記表示部に表示させる表示制御部とを備える
ことを特徴とする請求項７に記載の通信機器。
【請求項９】
複数種類の被写体像の種別毎に当該被写体像の特徴を示す情報が関連付けられた第２被写体像情報を記録する第２情報記録部を備え、
前記報知部は、
前記特徴情報及び前記第２被写体像情報に基づいて被写体像の種別を推定し、当該推定した被写体像の種別を含む情報を報知する
ことを特徴とする請求項７に記載の通信機器。
【請求項１０】
前記報知部は、
前記特徴情報に基づいて、被写体像を模したアバター画像を含む特徴情報を生成する特徴画像生成部と、
画像を表示する表示部と、
前記特徴画像を前記表示部に表示させる表示制御部とを備える
ことを特徴とする請求項７に記載の通信機器。
【請求項１１】
前記特徴情報は、
前記画像データに対応する画像に被写体像の特徴が含まれていないことを示す情報であり、
前記報知部は、
前記機器側通信部を介して受信した前記特徴情報に基づいて、前記画像データに対応する画像に被写体像の特徴が含まれていないことを示す情報を報知する
ことを特徴とする請求項７に記載の通信機器。
【請求項１２】
前記機器側通信部は、
前記撮像装置との間で情報の送受信を可能に接続する機器側第１通信部と、
前記機器側第１通信部の通信方式とは異なる通信方式で、前記撮像装置との間で情報の送受信を可能に接続する機器側第２通信部とを備え、
前記撮像装置は、
前記機器側第１通信部との間で情報の送受信を可能に接続する撮像側第１通信部と、
前記撮像側第１通信部の通信方式とは異なる通信方式で、前記機器側第２通信部との間で情報の送受信を可能に接続する撮像側第２通信部とを備え、
前記機器側第１通信部と前記撮像側第１通信部との間の通信路容量は、
前記画像データの送受信を可能とする通信路容量を有し、
前記機器側第２通信部と前記撮像側第２通信部との間の通信路容量は、
前記機器側第１通信部と前記撮像側第１通信部との間の通信路容量よりも小さい通信路容量を有し、
前記機器側通信制御部は、
前記機器側第２通信部を介して、前記撮像装置から前記特徴情報を受信する
ことを特徴とする請求項７に記載の通信機器。
【請求項１３】
撮影操作があった場合に、前記機器側通信部を介して、前記撮像装置に撮影指示を送信する撮像制御部を備え、
前記機器側通信部は、
前記撮像装置との間で情報の送受信を可能に接続する機器側第１通信部と、
前記機器側第１通信部の通信方式とは異なる通信方式で、前記撮像装置との間で情報の送受信を可能に接続する機器側第２通信部とを備え、
前記撮像制御部は、
前記機器側第１通信部を介して、前記画像データを受信している場合には、前記機器側第１通信部を介して、前記撮像装置に撮影指示を送信し、
前記機器側第１通信部を介して、前記画像データを受信していない場合には、前記機器側第２通信部を介して、前記撮像装置に撮影指示を送信する
ことを特徴とする請求項７に記載の通信機器。
【請求項１４】
被写体を撮像する撮像装置が実行する撮像方法において、
被写体を撮像して画像データを生成し、
外部の通信機器と撮像側第１通信部との間での通信状態が良好であるか否かを判定し、
前記画像データに基づいて、当該画像データよりもデータ量が小さく、当該画像データに対応する画像に含まれる被写体像の特徴を示す特徴情報を生成し、
前記通信機器と前記撮像側第１通信部との間での通信状態が良好ではないと判定した場合に、前記撮像側第１通信部の通信方式とは異なる通信方式の撮像側第２通信部を介して、前記通信機器に前記特徴情報を送信する
ことを特徴とする撮像方法。
【手続補正２】
【補正対象書類名】明細書
【補正対象項目名】発明の名称
【補正方法】変更
【補正の内容】
【発明の名称】撮像装置、通信機器、及び撮像方法
【手続補正３】
【補正対象書類名】明細書
【補正対象項目名】０００１
【補正方法】変更
【補正の内容】
【０００１】
本発明は、撮像装置、通信機器、及び撮像方法に関する。
【手続補正４】
【補正対象書類名】明細書
【補正対象項目名】０００５
【補正方法】変更
【補正の内容】
【０００５】
本発明は、上記に鑑みてなされたものであって、利便性の向上が図れる撮像装置、通信機器、及び撮像方法を提供することを目的とする。